(57)【要約】【課題】簡単な構造であって、着座者が立ち上がると、着座部が立ち上がり、起立状態となって収容されると共に、着座部が立ち上がって戻る際の着座部の立ち上がりの加速を抑制できる折畳み椅子を提供する。【解決手段】回転軸１０と、回転軸に固定された着座部２０と、着座部が着座位置２０ａと起立位置２０ｂとの間を移動するように、回転軸を所定の角度内で回転自在に保持する回転軸保持部材１００、１６０、１１０、１３０、１２２、１２４、１２６、１２８と、着座部を回転軸回りに起立位置に向かって付勢する付勢手段９０と、着座部が回転軸回りに起立位置に向かって回転するのを制動する制動手段であって、回転軸回りのトルクは、付勢手段の回転軸回りのトルクよりも小さい制動手段１４０とを備える。【選択図】図３
2012170667.tif 000002
【特許請求の範囲】
【請求項１】
回転軸と、
前記回転軸に固定された着座部と、
前記着座部がこの着座部の着座位置と起立位置との間を移動するように、前記回転軸を所定の角度内で回転自在に保持する回転軸保持部材と、
前記着座部を前記回転軸回りに前記起立位置に向かって付勢する付勢手段と、
前記着座部が前記回転軸回りに前記起立位置に向かって回転するのを制動する制動手段であって、前記回転軸回りのトルクは、前記付勢手段の前記回転軸回りのトルクよりも小さい前記制動手段と、を備える折畳み椅子。
【請求項２】
前記着座部が前記起立位置に位置した際に、前記着座部を覆う覆いをさらに備える請求項１記載の折畳み椅子。
【請求項３】
前記回転軸保持部材、前記付勢手段および前記制動手段の少なくとも一つを収容する収容部であって、前記回転軸保持部材、前記付勢手段および前記制動手段の前記少なくとも一つを前記収容部から取り出し可能な開口と、前記開口を覆う着脱自在なカバーと、を有する前記収容部をさらに備える請求項１または２記載の折畳み椅子。
【発明の詳細な説明】
【技術分野】
【０００１】
本発明は、折畳み椅子に関し、特に、屋外のバス停等に設置される折畳み椅子に関する。
【背景技術】
【０００２】
屋外に設置される折畳み椅子では、着座者が立ち上がると、着座部が立ち上がり、起立状態となって収容される構造のものが望まれている。このような構造の折畳み椅子では、バネ等の弾性力で着座部が立ち上がって戻る際に、荷重が抜けて小さくなっていくと、着座部の立ち上がりが加速し続けてしまい、着座部が起立位置へ回転復帰したときの衝撃により騒音が発生する等の問題があった。
【０００３】
このような問題を解決するために、着座部が起立位置へ回転復帰するときに、回転を抑制する種々の構造の折畳み椅子が提案されている（特許文献１、２参照）。
【先行技術文献】
【特許文献】
【０００４】
【特許文献１】特開平８−１９６３８５号公報
【特許文献２】特開２００２−３５５１４４号公報
【発明の概要】
【発明が解決しようとする課題】
【０００５】
しかしながら、特許文献１、２で提案されている構造は、部材の接触により着座部の回転を抑制するために接触部が磨耗してしまい、長年使用していると回転を抑制できなくなる課題があった。
【０００６】
本発明は、かかる課題を解決するために、回転抑制を接触構造とは異なる斬新な構造で行い、着座者が立ち上がると、着座部が立ち上がり、起立状態となって収容されると共に、着座部が立ち上がって戻る際の着座部の立ち上がりの加速を抑制できる折畳み椅子を提供することにある。
【課題を解決するための手段】
【０００７】
請求項１によれば、
回転軸と、
前記回転軸に固定された着座部と、
前記着座部がこの着座部の着座位置と起立位置との間を移動するように、前記回転軸を所定の角度内で回転自在に保持する回転軸保持部材と、
前記着座部を前記回転軸回りに前記起立位置に向かって付勢する付勢手段と、
前記着座部が前記回転軸回りに前記起立位置に向かって回転するのを制動する制動手段であって、前記回転軸回りのトルクは、前記付勢手段の前記回転軸回りのトルクよりも小さい前記制動手段と、を備える折畳み椅子が提供される。
【０００８】
請求項２によれば、前記着座部が前記起立位置に位置した際に、前記着座部を覆う覆いをさらに備える請求項１記載の折畳み椅子が提供される。
【０００９】
請求項３によれば、前記回転軸保持部材、前記付勢手段および前記制動手段の少なくとも一つを収容する収容部であって、前記回転軸保持部材、前記付勢手段および前記制動手段の前記少なくとも一つを前記収容部から取り出し可能な開口と、前記開口を覆う着脱自在なカバーと、を有する前記収容部をさらに備える請求項１または２記載の折畳み椅子が提供される。
【発明の効果】
【００１０】
請求項１によれば、付勢手段とこの付勢手段の回転軸回りのトルクよりも小さいトルクの制動手段との組み合わせにより、回転を抑制しており、特許文献１、２のように接触構造でないため、磨耗により回転抑制ができなくなることがない折畳み椅子が提供される。
【００１１】
請求項２によれば、着座部が起立位置に位置した際に、着座部を覆う覆いをさらに備えるので、この覆いにより着座部が鳥の糞等から汚れるのを防止できる。
【００１２】
請求項３によれば、回転軸保持部材、付勢手段および制動手段の少なくとも一つを収容部から取り出して、部品交換を行うことができる。
【図面の簡単な説明】
【００１３】
【図１】図１は、本発明の着座位置にある折畳み椅子を説明するための概略斜視図である。
【図２】図２は、本発明の起立位置にある折畳み椅子を説明するための概略斜視図である。
【図３】図３は、図１の概略分解斜視図である。
【図４】図４は、図３のＡ部の部分拡大概略縦断面図である。
【図５】図５は、図３のＢ部の部分拡大概略縦断面図である。
【図６】図６は、着座位置にある図４のＣＣ線概略縦断面図である。
【図７】図７は、起立位置にある図４のＣＣ線概略縦断面図である。
【発明を実施するための形態】
【００１４】
次に、図面を参照して、本発明の好適な実施の形態を説明する。
【００１５】
図１、２は、本発明の好ましい実施の形態の折畳み椅子を説明するための概略斜視図であって、図１は、着座部が着座位置にある場合を示し、図２は、着座部が起立位置にある場合を示している。また、図３は、図１の概略分解斜視図である。
【００１６】
本実施の形態の折畳み椅子１は、屋外のバス停等に設置される折畳み椅子である。折畳み椅子１は、着座部２０と、底部４０と、脚部５０と、背面部７０と、背面板８０とを備えている。
【００１７】
底部４０は、２つの底板４２と、底板４２間を連結する連結板４４とを備えている。本実施の形態の折畳み椅子１は、バス停等に設置される折畳み椅子であるので、底部４０は、地面に固定されていない。なお、公園等に設置される場合には、底部４０等を地面に固定することによって、折畳み椅子１を地面に固定することが多い。
【００１８】
脚部５０は、２つの脚５０ａと５０ｂとを備えている。２つの脚５０ａと５０ｂとは、２つの底板４２にそれぞれ固定され、立設されている。２つの脚５０ａと５０ｂとの間には、回転軸１０（図３参照）が回転自在に保持されている。回転軸１０には、着座部２０が座面受け２４を介して固定されている。着座部２０が、着座位置２０ａ（図１参照）と起立位置２０ｂ（図２参照）との間を移動するように、回転軸１０が回転する。着座部２０の上面２６には、温熱ヒータ３０と圧電スイッチ３２が取り付けられている。着座部２０の上面２６は座面２８（図１参照）によって覆われている。
【００１９】
背面部７０は、２つの側部７１ａおよび７１ｂと、天井部７２とを備えている。側部７１ａおよび７１ｂは、脚５０ａおよび５０ｂ上にそれぞれ固定され、立設されている。側部７１ａおよび７１ｂ上に背もたれ部７２が水平に固定されている。側部７１ａおよび７１ｂの間および背もたれ部７２の下部には、収容空間７７が形成されている。収容空間７７内には、起立位置２０ｂの着座部２０が収容される（図２参照）。このようにして、起立位置２０ｂの着座部２０が収容空間７７内に収容されるので、背もたれ部７２は、着座部２０を覆う覆いとして機能し、鳥の糞等から着座部２０が汚れるのを防止する。
【００２０】
背面部７０の後方には、背面板８０が取り付けられている。背面板８０の下部は、着座位置２０ａの着座部２０より上側に位置し、背面板８０の上部は、着座部２０に人が着座した際に人の頭部よりも下側に位置している。背面板８０は風除けとして機能する。背面板８０の上部には、ＬＥＤ８２が設けられている。背面板８０は鉄製であり、背面板８０の背面８３には、時刻表、広告等の表示物８４が磁石等によって取り付けられる。            
【００２１】
背もたれ部７２の上面にはソーラパネル７３とサーモスタット７５が取り付けられている。背もたれ部７２の内側にはバッテリー７４とマイクロコンピュータ等の制御装置７６が設けられている。ソーラパネル７３で発電された電力がバッテリー７４に貯められている。着座部２０に人が着座すると、圧電スイッチ３２によって人の着座を感知し、制御装置７６の制御により、ＬＥＤ８２が発光する。これにより、バス停に人が待っていることをバスの運転手が知ることが容易になる。また、外気温度が所定温度以下となると、サーモスタット７５が作用して、制御装置７６の制御により、温熱ヒータ３０によって着座部２０が暖められる。
【００２２】
次に、図３〜図７を参照して、着座部２０を回転軸１０の回りに起立位置２０ｂに向かって付勢する付勢手段と、着座部２０が回転軸１０の回りに起立位置２０ｂに向かって回転するのを制動する制動手段とを説明する。図４は、図３のＡ部の部分拡大概略縦断面図であり、図５は、図３のＢ部の部分拡大概略縦断面図であり、図６は、着座位置にある図４のＣＣ線概略縦断面図であり、図７は、起立位置にある図４のＣＣ線概略縦断面図である。
【００２３】
図３、図４を参照すれば、脚５０ａは、脚筐体５２ａと、脚筐体５２ａの開口５３ａを覆う脚カバー６４ａとを備えている。脚筐体５２ａの開口５３ａには、左右に取り付け部５５ａが設けられ、取り付け部５５ａにはネジ穴５７ａが設けられている。脚カバー６４ａを脚カバー６４ａに設けられた穴６５ａを介して、ネジ６８でネジ穴５７ａに取り付けることによって、脚カバー６４ａを脚筐体５２ａに取り付けることができ、ネジ６８を外すことによって、脚カバー６４ａを脚筐体５２ａから取り外すことができるため、脚筐体５２ａと脚カバー６４ａとの間の収容部５１ａにある渦巻きバネ９０とディスク１１０とベアリング１００等の部品交換を行えるようになっている。
【００２４】
脚筐体５２ａの側壁５４ａの孔５６ａを貫通して回転軸１０が設けられている。側壁５４ａにはベアリング１００が、ベアリング１００の取り付け穴１０２、１０４をそれぞれ介してベアリング補強部１０１、ボルト１２２、１２４によって取り付けられており、ベアリング１００の軸受け部１０６に回転軸１０が挿入されている。
【００２５】
回転軸１０の先端部１２は、断面正方形状に加工されている。先端部１２には、切り込み１４が設けられている。渦巻きバネ９０の内側の端部９４がこの切り込み１４に挿入され取り付けられている。渦巻きバネ９０の外側の端部９２は、バネ固定板１５２の折曲片１５３によって、脚筐体５２ａの側壁５４ａ側に取り付けられている。
【００２６】
ベアリング１００と渦巻きバネ９０との間には、ディスク１１０が設けられている。ディスク１１０の中央には正方形状の穴１１９が形成されている。穴１１９には回転軸１０の先端部１２が挿入されており、回転軸１０とディスク１１０とが一体となって回転する。ディスク１１０には、円弧状の長孔１１１、１１２が設けられている。長孔１１１、１１２は、ディスク１１０の中央を中心とする同じ円の円周上に存在する。長孔１１１、１１２には、ボルト１２２、１２４がそれぞれ挿入され、ベアリング１００にナット１２３、１２５を介して固定されている。
【００２７】
図６を参照すれば、長孔１１１の端部１１３と、長孔１１２の端部１１４は、回転軸１０を介してディスク１１０と一体になって回転する着座部２０が着座位置２０ａに位置した時のストッパーとなり、図７を参照すれば、長孔１１１の端部１１５と、長孔１１２の端部１１６は、回転軸１０を介してディスク１１０と一体になって回転する着座部２０が起立位置２０ｂに位置した時のストッパーとなっている。
【００２８】
図３、図５を参照すれば、脚５０ｂは、脚筐体５２ｂと、脚筐体５２ｂの開口５３ｂを覆う脚カバー６４ｂとを備えている。脚筐体５２ｂの開口５３ｂには、左右に取り付け部（図示せず）が設けられ、取り付け部（図示せず）にはネジ穴（図示せず）が設けられている。脚カバー６４ｂを脚カバー６４ｂに設けられた穴６５ｂを介して、ネジ（図示せず）でネジ穴（図示せず）に取り付けることによって、脚カバー６４ｂを脚筐体５２ｂに取り付けることができ、ネジ（図示せず）を外すことによって、脚カバー６４ｂを脚筐体５２ｂから取り外すことができるため、脚筐体５２ｂと脚カバー６４ｂとの間の収容部５１ｂにあるダンパー１４０とディスク１３０やベアリング１６０等の部品交換を行えるようになっている。
【００２９】
脚筐体５２ｂの側壁５４ｂの孔５６ｂを貫通して回転軸１０が設けられている。側壁５４ｂにはベアリング１６０が、ベアリング１６０の取り付け穴１６２、１６４をそれぞれ介して、ベアリング補強部１６１、ボルト１２６、１２８によって取り付けられており、ベアリング１６０の軸受け部１６６に回転軸１０が挿入されている。
【００３０】
回転軸１０の先端部１６は、断面正方形状に加工されている。先端部１６には、溝１８が設けられている。溝１８の断面は、対向する２辺が直線状である。油圧式のロータリーダンパー１４０のローターの端部１４２が、この溝１８に挿入され取り付けられている。ローターの端部１４２も対向する２辺が直線状であり、ダンパー１４０のローターの端部１４２と、回転軸１０とは一体となって回転する。ダンパー１４０は、ダンパー１４０の穴１４６を介して固定板１５４にボルト（図示せず）で取り付けられ、固定板１５４はボルト（図示せず）で脚筐体５２ｂの側壁５４ｂに取り付けられている。
【００３１】
ベアリング１６０とダンパー１４０との間には、ディスク１３０が設けられている。ディスク１３０の中央には正方形状の穴１３９が形成されている。穴１３９には回転軸１０の先端部１６が挿入されており、回転軸１０とディスク１３０とが一体となって回転する。ディスク１３０には、円弧状の長孔１３１、１３２が設けられている。長孔１３１、１３２は、ディスク１３０の中央を中心とする同じ円の円周上に存在する。長孔１３１、１３２には、ボルト１２６、１２８がそれぞれ挿入され、ベアリング１６０にナット１２７、１２９を介して固定されている。
【００３２】
長孔１３１の端部１３３と、長孔１３２の端部１３４は、回転軸１０を介してディスク１３０と一体になって回転する着座部２０が着座位置２０ａに位置した時のストッパーとなり、長孔１３１の端部１３５と、長孔１３２の端部１３６は、回転軸１０を介してディスク１３０と一体になって回転する着座部２０が起立位置２０ｂに位置した時のストッパーとなる。
【００３３】
次に、上述した本実施の形態の折畳み椅子１の作用について説明する。回転軸１０には、着座部２０が座面受け２４を介して固定されており、回転軸１０の両側はベアリング１００、１６０によって支えられているので、回転軸１０は着座部２０と一体になって回転する。この回転軸１０の回転角度はディスク１１０、１３０によって、着座部２０の着座位置２０ａと起立位置２０ｂとの間に制限されている。従って、ベアリング１００、１６０およびディスク１１０、１３０によって、着座部２０が着座位置２０ａと起立位置２０ｂとの間を移動するように、回転軸１０を所定の角度内で回転自在に保持している。
【００３４】
また、回転軸１０の一方の先端部１２は渦巻きバネ９０に取り付けられ、回転軸１０の他方の先端部１６は油圧式のロータリーダンパー１４０に取り付けられている。渦巻きバネ９０によって、回転軸１０に固定された着座部２０が、着座部２０の起立位置２０ｂに向かって付勢されている。また、油圧式のロータリーダンパー１４０は、ローターが回転することによって、オイルの粘性抵抗で回転運動の対象物に制動力を働かせる機能を有しているので、油圧式のロータリーダンパー１４０によって、回転軸１０に固定された着座部２０が、着座部２０の起立位置２０ｂに向かって回転するのを制動する。また、油圧式のロータリーダンパー１４０による回転軸１０の回りのトルク２０ｋｇｆ・ｃｍは、渦巻きバネ９０の回転軸１０の回りのトルク４５ｋｇｆ・ｃｍよりも小さくなるように、渦巻きバネ９０と油圧式のロータリーダンパー１４０とを選択している。
【００３５】
従って、人が折畳み椅子１に着座していないときには、渦巻きバネ９０の作用により、着座部２０は起立位置２０ｂに位置している。人が折畳み椅子１に着座しようとする際には、人力により、着座部２０を着座位置２０ａに移動させ、着座部２０に着座する。人が折畳み椅子１から立ち上がると、着座部２０は、渦巻きバネ９０の作用により、起立位置２０ｂ側に移動を始める。その後、渦巻きバネ９０の弾性力で着座部２０が立ち上がって起立位置２０ｂに戻る際に、荷重が抜けて小さくなっていっても、油圧式のロータリーダンパー１４０による制動力が働くので、着座部２０の立ち上がりの加速を抑制できる。
【００３６】
なお、人が折畳み椅子１に着座しようとする際に、着座部２０に手を添えて、人力により着座部２０を着座位置２０ａに移動させた後に、着座部２０から手を離すと、着座部２０が渦巻きバネ９０の弾性力で立ち上がりを始めてしまうと、高齢者等にとって、着座しずらい場合があるので、回転軸１０にカム等を取り付け、着座部２０が着座位置２０ａに移動した後、しばらくの間は、着座部２０が渦巻きバネ９０の弾性力で立ち上がりを始めないようにすることが望ましい。
【００３７】
上記実施の形態では、着座部２０を回転軸１０の回りに起立位置２０ｂに向かって付勢する付勢手段として渦巻きバネ９０を使用したが、他の部材を使用してもよく、着座部２０が回転軸１０の回りに起立位置２０ｂに向かって回転するのを制動する制動手段として、油圧式のロータリーダンパー１４０を使用したが、他の部材を使用してもよいことはいうまでもない。
【００３８】
以上、本発明の種々の典型的な実施の形態を説明してきたが、本発明はそれらの実施の形態に限定されない。従って、本発明の範囲は、次の特許請求の範囲によってのみ限定されるものである。
【符号の説明】
【００３９】
１  折畳み椅子
１０  回転軸
２０  着座部
２０ａ  着座位置
２０ｂ  起立位置
９０  渦巻きバネ
１００、１６０  ベアリング
１１１、１１２、１３１、１３２  長孔
１２２、１２４、１２６、１２８  ボルト
１１０、１３０  ディスク
１４０  油圧式のロータリーダンパー
【図１】
2012170667.tif 000003
【図２】
2012170667.tif 000004
【図３】
2012170667.tif 000005
【図４】
2012170667.tif 000006
【図５】
2012170667.tif 000007
【図６】
2012170667.tif 000008
【図７】
2012170667.tif 000009